(57)【要約】【課題】移動型のＸ線検出器を用いたＸ線撮影の作業性をより向上させるＸ線撮影台、Ｘ線撮影台ユニット、Ｘ線診断装置を提供する。【解決手段】Ｘ線診断装置１０は、Ｘ線撮影台として臥位撮影台３０と立位撮影台４０とを備える。臥位撮影台３０は、移動型のＸ線検出器８０を内部に出し入れ可能に収納する収納部３２と、収納部３２に収納された状態で、Ｘ線検出器８０に蓄積されたＸ線画像情報を読み取る画像読取部９０とを備える。【選択図】図２
2010172574.tif 000002
【特許請求の範囲】
【請求項１】
Ｘ線源を備えたＸ線撮影装置本体とは別体に構成されたＸ線検出器を用いて、被検体をＸ線撮影するＸ線撮影台であって、
前記Ｘ線検出器を前記Ｘ線撮影台の内部に出し入れ可能に収納する収納部と、
前記収納部に収納された前記Ｘ線検出器に蓄積されたＸ線画像情報を読み取る画像読取部と、
を備えることを特徴とするＸ線撮影台。
【請求項２】
前記Ｘ線撮影台は、前記収納部に前記Ｘ線検出器を収納した状態で前記Ｘ線撮影を行える、
ことを特徴とする請求項１に記載のＸ線撮影台。
【請求項３】
前記収納部内に前記Ｘ線検出器を挿入するための挿入口と、
前記挿入口を開閉する開閉部材と、
を更に備えることを特徴とする請求項１に記載のＸ線撮影台。
【請求項４】
前記収納部は、前記Ｘ線撮影台の長手方向に沿った収納空間を備え、
前記収納空間内において前記Ｘ線検出器を載置する検出器トレイと、
前記検出器トレイを前記長手方向に沿って移動させるトレイ搬送手段と、
を更に備えることを特徴とする請求項１に記載のＸ線撮影台。
【請求項５】
前記画像読取部は、前記Ｘ線撮影台の長手方向の端部に備えられ、
前記トレイ搬送手段は、前記検出器トレイを前記画像読取部の近傍まで移動させ、
前記Ｘ線撮影台は、前記検出器トレイに載置された前記Ｘ線検出器を前記画像読取部に排出するとともに、前記画像読取部から前記検出器トレイへ前記Ｘ線検出器を送り出す検出器送り手段を更に備える、
ことを特徴する請求項４に記載のＸ線撮影台。
【請求項６】
前記検出器送り手段は、
前記検出器トレイ内に長手方向に沿って備えられた送りネジと、
前記送りネジに沿って直線上に進退するナットと、
前記ナットに連結され、前記検出器トレイに載置された前記Ｘ線検出器を保持する保持手段と、
前記送りねじを回転駆動させる駆動装置と、により構成される、
ことを特徴とする請求項５に記載のＸ線撮影台。
【請求項７】
前記画像読取部を、前記収納部内において前記Ｘ線撮影装置の長手方向に沿って移動させる移動手段と、
前記画像読取部を、前記挿入口から前記収納部の内外に進退させる進退手段と、
前記Ｘ線検出器を、前記画像読取部の上面に載置した状態で、前記収納部内の移動及び前記収納部内外の進退を許容して、前記画像読取部と電気的に接続する手段と、
更に備えることを特徴とする請求項３に記載のＸ線撮影台。
【請求項８】
前記Ｘ線検出器は、半導体からなるＸ線検出素子を二次元配列したフラットパネルディテクタであり、前記画像読取部は、前記フラットパネルディテクタに記録された前記Ｘ線画像情報の読取り及び消去と、前記フラットパネルディテクタの充電と、を行うトラッキングステーションである、
又は、前記Ｘ線検出器は、基板上に輝尽性蛍光体を塗布されたイメージングプレートであり、前記画像読取部は、前記イメージングプレートに潜像として蓄積された前記被検体のＸ線吸収分布を示す前記Ｘ線画像情報を読取り及び消去を行う画像読取装置である、
ことを特徴とする請求項１に記載のＸ線撮影台。
【請求項９】
Ｘ線源を備えたＸ線撮影装置本体とは別体に構成されたＸ線検出器を用いて被検体を横臥させてＸ線撮影を行う臥位撮影台と、前記Ｘ線検出器を用いて立位撮影を行う立位撮影台と、を備えたＸ線撮影台ユニットであって、
前記臥位撮影台は、
前記Ｘ線検出器を前記臥位撮影台の内部に出し入れ可能に収納する収納部と、
前記収納部に収納された前記Ｘ線検出器に蓄積されたＸ線画像情報を読み取る画像読取部と、を備え、
前記立位撮影台は、前記Ｘ線検出器を着脱自在に取り付ける取付手段を備える、
ことを特徴とするＸ線撮影台ユニット。
【請求項１０】
Ｘ線源を備えたＸ線撮影装置本体と、
前記Ｘ線撮影装置本体とは別体に構成されたＸ線検出器と、
被検体を横臥させてＸ線撮影を行う臥位撮影台であって、前記Ｘ線検出器を前記臥位撮影台の内部に出し入れ可能に収納する収納部と、
前記収納部に収納された前記Ｘ線検出器に蓄積されたＸ線画像情報を読み取る画像読取部と、を備える臥位撮影台と、
前記Ｘ線検出器を用いて立位撮影を行う立位撮影台であって、前記Ｘ線検出器を着脱自在に取り付ける取付手段を備えた立位撮影台と、
を備えることを特徴とするＸ線診断装置。
【発明の詳細な説明】
【技術分野】
【０００１】
本発明は、Ｘ線撮影台、Ｘ線撮影台ユニット、及びＸ線診断装置に関し、特に、ポータブルＸ線検出器を使用したＸ線撮影に好適な技術に関する。
【背景技術】
【０００２】
従来、Ｘ線撮影装置本体とは別体に構成された移動型のＸ線検出器がある。例えば、特許文献１には、静止画撮影と動画撮影との両方に使用可能なポータブルＦＰＤ(flat panel detector)が開示されている。このポータブルＦＰＤのような移動型のＸ線検出器は、Ｘ線検出器単体での持ち運びが可能なため、Ｘ線撮影装置本体と一体に構成されたＸ線検出器に比べて取扱いが容易である。
【先行技術文献】
【特許文献】
【０００３】
【特許文献１】特開2008-830317号公報
【発明の概要】
【発明が解決しようとする課題】
【０００４】
しかしながら、特許文献１のような移動型のＸ線検出器は、Ｘ線撮影時にＸ線撮影台（例えば臥位撮影台や立位撮影台）の撮影位置にセッティングしたり、Ｘ線検出器に蓄積されたＸ線画像情報を読み取るための画像読取装置にセッティングしたりするために持ち運ぶ手間が必要である。また、特に、ポータブルＦＰＤの場合は、充電するための更なる手間が必要となるという問題がある。
【０００５】
本発明は、上記事情に鑑みてなされたもので、移動型のＸ線検出器を用いたＸ線撮影の作業性をより向上しうるＸ線撮影台、Ｘ線撮影台ユニット、及びＸ線診断装置を提供することを目的とする。
【課題を解決するための手段】
【０００６】
本発明に係るＸ線撮影装置は、Ｘ線源を備えたＸ線撮影装置本体とは別体に構成されたＸ線検出器を用いて、被検体をＸ線撮影するＸ線撮影台であって、前記Ｘ線検出器を前記Ｘ線撮影台の内部に出し入れ可能に収納する収納部と、前記収納部に収納された前記Ｘ線検出器に蓄積されたＸ線画像情報を読み取る画像読取部と、を備えることを特徴とする。
【０００７】
また、本発明に係るＸ線撮影台ユニットは、Ｘ線源を備えたＸ線撮影装置本体とは別体に構成されたＸ線検出器を用いて被検体を横臥させてＸ線撮影を行う臥位撮影台と、前記Ｘ線検出器を用いて立位撮影を行う立位撮影台と、を備えたＸ線撮影台ユニットであって、前記臥位撮影台は、前記Ｘ線検出器を前記臥位撮影台の内部に出し入れ可能に収納する収納部と、前記収納部に収納された前記Ｘ線検出器に蓄積されたＸ線画像情報を読み取る画像読取部と、を備え、前記立位撮影台は、前記Ｘ線検出器を着脱自在に取り付ける取付手段を備える、ことを特徴とする。
【０００８】
また、本発明に係るＸ線診断装置は、Ｘ線源を備えたＸ線撮影装置本体と、前記Ｘ線撮影装置本体とは別体に構成されたＸ線検出器と、被検体を横臥させてＸ線撮影を行う臥位撮影台であって、前記Ｘ線検出器を前記臥位撮影台の内部に出し入れ可能に収納する収納部と、前記収納部に収納された前記Ｘ線検出器に蓄積されたＸ線画像情報を読み取る画像読取部と、を備える臥位撮影台と、前記Ｘ線検出器を用いて立位撮影を行う立位撮影台であって、前記Ｘ線検出器を着脱自在に取り付ける取付手段を備えた立位撮影台と、を備えることを特徴とする。
【発明の効果】
【０００９】
本発明によれば、Ｘ線撮影装置本体とは別体に構成されたＸ線検出器をＸ線撮影台に収納した状態でＸ線撮影を行い、Ｘ線検出器を取り出すことなくＸ線画像情報の読み取りができるため、Ｘ線撮影からＸ線画像情報の読み出しまでの一連の工程の間で、Ｘ線検出器を持ち運ぶ手間を省くことができる。また、Ｘ線撮影からの一連の工程が終了した後、Ｘ線撮影台の収納部内にＸ線検出器を格納しておくことができ、次回、Ｘ線撮影を行うときに、Ｘ線検出器をＸ線撮影台内にセッティングする手間を省くことができる。そのため、Ｘ線撮影時における手間の省略しＸ線撮影の作業性をより向上しうると共に、Ｘ線検出器を持ち運ぶ頻度を減らすことにより、落下や衝突などによるＸ線検出器の破損リスクを低減することができる。
【００１０】
さらに、臥位撮影台内に収納されたＸ線検出器は必要に応じて取り出すことができるために、立位撮影を行うときには、臥位撮影台から取り出して立位撮影台に取り付けて立位撮影を行うことができる。そのため、一つのＸ線検出器を用いて臥位撮影と立位撮影との両方を行うことができる。
【図面の簡単な説明】
【００１１】
【図１】第一実施形態に係るＸ線診断装置１０の全体構成図
【図２】臥位撮影台３０の外観図
【図３】臥位撮影台３０からポータブルＦＰＤを引き出した状態を示す平面図
【図４】臥位撮影台３０からポータブルＦＰＤを引き出した状態を示す斜視図
【図５】臥位撮影台３０の天板３１を外し、収納部３２の底を形成する内板３１ｂを装着した状態を示す斜視図
【図６】臥位撮影台３０の天板３１及び内板３１ｂを外した状態を示す斜視図
【図７】検出器送り部１００の構成図
【図８】立位撮影台４０へのポータブルＦＰＤ８０の組み込みを説明する平面図
【図９】ポータブルＦＰＤ８０の組み込みを説明する正面図
【図１０】第二実施形態に係る臥位撮影台３６の外観図
【図１１】臥位撮影台３６からポータブルＦＰＤを引き出した状態を示す平面図
【図１２】臥位撮影台３６からポータブルＦＰＤを引き出した状態を示す斜視図
【発明を実施するための形態】
【００１２】
＜＜第一実施形態＞＞
以下、本発明を適用する第一の実施形態について説明する。以下、本発明の実施形態を説明する全図において、同一機能を有するものは同一符号を付し、その繰り返しの説明は省略する。
【００１３】
第一実施形態は、ポータブルＦＰＤに記録されたＸ線画像情報の読取り及び消去と、充電とを行うトラッキングステーションを備えた臥位撮影台と、ポータブルＦＰＤを着脱自在に取り付け可能な立位撮影台とを備えたＸ線撮影台ユニット、およびＸ線を発生させるＸ線照射部を備えたＸ線診断装置１０に係る実施形態である。
【００１４】
図１は、第一実施形態に係るＸ線診断装置１０の全体構成図である。Ｘ線診断装置１０は、被検体１にＸ線を照射するＸ線照射部２０と、被検体１を横臥させてＸ線撮影を行う臥位撮影台３０と、被検体１の立位撮影を行う立位撮影台４０と、を備え、これらは撮影室２内に設置される。
【００１５】
Ｘ線照射部２０は、被検体１の撮影領域に照射されるＸ線の照射野を制限するＸ線絞り部２１と、Ｘ線診断装置１０全体を制御する各種パラメータを設定するため操作器２２と、を備える。臥位撮影台３０は、被検体１を挟んでＸ線照射部２０と対向して配置されたポータブルＦＰＤ８０を検出器トレイ上に載置して、臥位撮影台３０の長手方向に沿って移動させるトレイ搬送部７０を備える。立位撮影台４０は、ポータブルＦＰＤ８０の着脱自在に取り付ける取付部４１を備える。
【００１６】
更にＸ線診断装置１０は、撮影室２と壁３及び扉４を隔てて隔離された操作室５内に備えられた画像処理装置５０と表示部６０とを備える。画像処理装置５０は、ポータブルＦＰＤ８０が検出したＸ線画像情報を読み出して画像データを収集し、画像データに各種の画像処理を施して所望の画像データを得る。表示部６０は、画像処理装置５０で処理された画像データを表示画像に変換して、Ｘ線画像を表示する。
【００１７】
次に図２〜図６に基づいて臥位撮影台３０の構成について説明する。図２は、臥位撮影台３０の外観図、図３は、臥位撮影台３０から平面検出器を搬出させた状態における平面図、図４は、臥位撮影台３０から平面検出器を搬出させた状態における斜視図、図５は、臥位撮影台３０の天板３１を外し、収納部３２の底を形成する内板３１ｂを装着した状態を示す斜視図、図６は、天板３１及び内板３１ｂを外した状態を示す斜視図である。
【００１８】
図２に示すように、臥位撮影台３０は、被検体１を載せる天板３１と、天板３１の下にポータブルＦＰＤ８０を収納する収納空間３３を備えた収納部３２を備える。天板３１及び収納部３２は、収納部３２にポータブルＦＰＤ８０を収納した状態でＸ線撮影が行える構成とする。例えば、収納部３２は、ポータブルＦＰＤ８０のＸ線検出面をＸ線源に対向させた状態で収納するとともに、収納部３２におけるＸ線源とポータブルＦＰＤ８０との間に位置する部分及び天板３１は、Ｘ線を透過可能な材質により構成される。このＸ線経路上にある部分は、Ｘ線透過率がより高い材質を用いたり、耐荷重を確保しつつよりＸ線経路上の部材の厚みをより薄くしたりするほうが好ましい。更に、できるだけＸ線源とポータブルＦＰＤ８０との距離を近づけるように収納部３２内において上方（天板３１により近い位置）にポータブルＦＰＤ８０を位置させた方が好ましい。収納空間３３は、上部が天板３１の裏面により覆われ、下部が内板３１ｂにより覆われた臥位撮影台３０内の空間として形成される。臥位撮影台３０の長手方向端部には、ポータブルＦＰＤ８０の充電や、検出されたＸ線画像情報の読み出し・消去を行うトラッキングステーション９０が備えられる。
【００１９】
臥位撮影台３０の側面には、ポータブルＦＰＤ８０を収納部３２内に挿入するための挿入口３５と、挿入口３５を開閉するための前扉３４が備えられる。臥位撮影台３０の収納部３２内には、検出器トレイ７１を長手方向に沿って移動させるための搬送機構７４を備える。搬送機構７４は、内板３１ｂ上に長手方向に沿って配置されたレール７２と、検出器トレイ７１をレール７２に沿って移動させるための駆動装置７３とにより構成される。
【００２０】
前扉３４を開閉することにより、臥位撮影台３０内の挿入口３５を開閉する。前扉３４を開けると、ポータブルＦＰＤ８０を載置して収納部３２内に収納するための検出器トレイ７１が収納部３２の内部から外部に向けて排出される（図３、図４）。検出器トレイ７１が収納部３２の内外に進退することにより、ポータブルＦＰＤ８０を収納部３２に着脱可能に収納することができる。
【００２１】
トラッキングステーション９０は、臥位撮影台３０の長手方向の片端部にあり、その上面が内板３１ｂの上面と略水平になるように備えられる。検出器トレイ７１には、ポータブルＦＰＤ８０をトラッキングステーション９０上に排出するとともに、トラッキングステーションに接続されたポータブルＦＰＤ８０を検出器トレイ７１に送り出すための検出器送り部１００を備える。
【００２２】
次に図７に基づいて検出器送り部１００について説明する。図７は、検出器送り部１００の構成図であって、図７（ａ）は充電時における検出器送り部１００の状態を示し、図７（ｂ）は撮影時における検出器送り部１００の状態を示す。検出器送り部１００は、検出器トレイ７１内に長手方向に沿って設置される送りネジ１０１と、送りネジ１０１に螺合し、送りネジ１０１の回転に伴って送りネジ１０１上を直線的に移動するナット１０２と、モータ１０３と、モータ１０３の駆動力を送りネジ１０１に伝達して送りネジ１０１を回転させるタイミングベルト１０４と、ナット１０２上に立設された２つの突起部１０５ａ、１０５ｂからなる保持部１０５とにより構成される。突起部１０５ａがポータブルＦＰＤ８０の把持用開口部８１に挿入される。また、ポータブルＦＰＤ８０において把持用開口部８１に挿入した手により把持される部分である把持部８２は、突起部１０５ａ、１０５ｂの間に位置する。この状態で、ナット１０２が送りネジ１０１上を進退することにより、ポータブルＦＰＤ８０が検出器トレイ７１からトラッキングステーション９０に送られたり、またトラッキングステーション９０から検出器トレイ７１内に収納されたりする。
【００２３】
次に図８、図９に基づいて、立位撮影台４０について説明する。図８は、ポータブルＦＰＤ８０の組み込みを説明する平面図であり、図９は、ポータブルＦＰＤ８０の組み込みを説明する正面図である。
【００２４】
立位撮影台４０は、床面上に立設される支柱４２と、その支柱４２に沿って上下方向に移動するＸ線検出部４３を備える。Ｘ線検出部４３は、着脱自在にポータブルＦＰＤ８０を取り付ける取付部４１を備える。取付部４１は、Ｘ線検出部４３内にポータブルＦＰＤ８０を収納するための収納空間４１ａと、収納されたポータブルＦＰＤ８０の位置を固定する保持部４１ｂとにより構成される。保持部４１ｂは、ポータブルＦＰＤ８０の走行方向を規制するレールとして構成してもよい。Ｘ線検出部４３の上部には、立位撮影時に被検体の顎をのせるための窪みからなる顎のせ部４４を備え、Ｘ線検出部４３の背面には、被検体に把持させて撮影姿勢を維持させるためのハンドル４５Ｒ、４５Ｌを備える。
【００２５】
次に第一の実施形態の動作について説明する。臥位撮影台３０内にポータブルＦＰＤ８０が収納されていない状態では、検出器トレイ７１は長手方向における挿入口３５がある位置に待機している。通常の臥位撮影の開始準備として、操作者は、臥位撮影台３０の前扉３４を開け、挿入口３５からポータブルＦＰＤ８０を収納部３２内に挿入する。そして、ポータブルＦＰＤ８０の把持用開口部８１に突起部１０５ａを位置させ、かつ、把持部８２を突起部１０５ａ及び１０５ｂの間に位置させて検出器トレイ７１上にポータブルＦＰＤ８０を載置する。その後、前扉３４を閉める。
【００２６】
操作者が、撮影部位を指定すると、搬送機構７４は、検出器トレイ７１を撮影部位に搬送する。Ｘ線照射部２０よりＸ線が照射されて、ポータブルＦＰＤ８０は、透過Ｘ線を検出し、Ｘ線画像情報が記録される。
【００２７】
Ｘ線照射が終了すると、搬送機構７４は検出器トレイ７１をトラッキングステーション９０の近傍まで移動させる。検出器送り部１００は、送りネジ１０１を回転させ、保持部１０５に保持されたポータブルＦＰＤ８０がトラッキングステーション９０に排出される。ポータブルＦＰＤ８０はトラッキングステーション９０に格納・接続される。トラッキングステーション９０は、Ｘ線画像情報を受信し、このＸ線画像情報を画像処理部５０に送信する。画像処理部５０は、Ｘ線画像情報に基づいて画像処理を行って表示用画像データを生成し、表示部６０に表示する。
【００２８】
トラッキングステーション９０でのＸ線画像情報の読取が終了すると、Ｘ線画像情報の消去を行う。次回の撮影指示が入力されると、検出器送り部１００は、トラッキングステーション９０から検出器トレイ７１に向けてポータブルＦＰＤ８０を排出する。そして、被検体の撮影部位に応じて検出器トレイ７１が移動し、ポータブルＦＰＤ８０によりＸ線画像情報の検出が行われる。またポータブルＦＰＤ８０の臥位撮影台３０から取り出す指示が入力されると、上記と同様、検出器送り部１００は、検出器トレイ７１に向けてポータブルＦＰＤ８０を排出し、検出器トレイ７１が挿入口３５まで移動する。
【００２９】
撮影が進み、ポータブルＦＰＤ８０に充電が必要になると、搬送機構７４が自動退避し、トラッキングステーション９０にポータブルＦＰＤ８０を格納し充電する。
【００３０】
または、撮影終了の度に、ポータブルＦＰＤ８０を検出器トレイ７１に送り出し、挿入口３５で待機させてもよい。これにより、前扉３４を開くとすぐにポータブルＦＰＤ８０を取り出せるようになる。
【００３１】
または、撮影をしないときは、常時ポータブルＦＰＤ８０をトラッキングステーション９０に格納し、その間充電を行うように構成してもよい。
【００３２】
立位撮影時は、操作者は、前扉３４を開き、ポータブルＦＰＤ８０を取り出し、立位撮影台４０のＸ線検出部４３に取り付け撮影を行う。
【００３３】
上記実施形態によれば、臥位撮影台３０及び立位撮影台４０のそれぞれに着脱自在にポータブルＦＰＤ８０を取り付けて撮影することができるので、一つのポータブルＦＰＤ８０を臥位撮影及び立位撮影に兼用することができる。また、臥位撮影台３０内にトラッキングステーション９０を内蔵するため、臥位撮影をした後にポータブルＦＰＤ８０を取り出すことなく、Ｘ線画像情報の読み取りと充電とを行うことができる。そのため、撮影や充電の度ごとにポータブルＦＰＤ８０を持ち運ぶ必要がなく、ポータブルＦＰＤ８０の取り回しに伴う破損や紛失のリスクを軽減でき、撮影時及び充電時の手間を軽減することができる。
【００３４】
更に、本実施形態ではトラッキングステーション９０が天板３１の端部に位置し検出器トレイ７１の上面とトラッキングステーション９０の上面の高さがほぼ同じになるように構成し、Ｘ線撮影時にポータブルＦＰＤ８０を検出器トレイ７１上に載置するように構成したので、トラッキングステーション９０上にポータブルＦＰＤ８０を積層させて撮影する場合に比べて、天板３１の高さをトラッキングステーション９０の高さ（厚み）相当分だけ低くすることができる。
【００３５】
＜＜第二実施形態＞＞
第二の実施形態は、第一実施形態の臥位撮影台に代えて、図１０に示す臥位撮影台３６を用いる。第二の実施形態に係る臥位撮影台３６が第一の実施形態に係る臥位撮影台３０と異なる点は、主に、トラッキングステーション９０の取り付け位置である。第一実施形態では、天板３１の下端に取り付けるため、天板３１の最低高を低くすることが可能である。第二実施形態では、トラッキングステーション９０にポータブルＦＰＤ８０を積層させた状態で収納部３２に収納する。これにより、第一実施形態より天板３１の最低高は高くなるが、常時、ポータブルＦＰＤ８０をトラッキングステーション９０に格納しているため、充電切れを気にせず連続して撮影が可能である。
【００３６】
以下、図１０、図１１、図１２に基づいて、第二実施形態に係る臥位撮影台について説明する。図１０は、第二実施形態に係る臥位撮影台３６の外観図である。図１１は、臥位撮影台３６のポータブルＦＰＤ８０を引き出した状態を示す平面図であり、図１２は、臥位撮影台３６のポータブルＦＰＤ８０を引き出した状態を示す斜視図である。
【００３７】
本実施形態の臥位撮影台３６は、第一実施形態と同様、側面に前扉３４を備える。この前扉３４を開閉することにより、臥位撮影台３６の挿入口３５を開閉する。臥位撮影台３６は、図示を省略するもののトラッキングステーション９０を収納部３２の内外に進退させる進退機構（例えば臥位撮影台３６の短手方向に沿ったレールとそのレールに沿ってトラッキングステーション９０を移動させる駆動装置）と、収納部３２内において臥位撮影台３６の長手方向に沿って移動し、撮影位置にポータブルＦＰＤ８０を位置させるための移動機構（例えば搬送機構７４と同等の機能を有し、検出器トレイ７１に代えてトラッキングステーション９０を搬送させるもの）とを備える。
【００３８】
トラッキングステーション９０とポータブルＦＰＤ８０とは、互いを電気的に接続するためのコネクタ（図示は省略）を備える。そして、トラッキングステーション９０の上面にポータブルＦＰＤ８０を載置するとトラッキングステーション９０及びポータブルＦＰＤ８０のコネクタが接続されて通電状態となる。
【００３９】
次に、本実施形態の臥位撮影台３６の動作について説明する。まず、前扉３４を開けると、トラッキングステーション９０が挿入口３５から収納部３２の外部に向けて排出される（図１１、１２）。
【００４０】
この状態で、トラッキングステーション９０にポータブルＦＰＤ８０を載せると、トラッキングステーション９０及びポータブルＦＰＤ８０のコネクタが接続され、通電状態になる。続いて、トラッキングステーション９０の上面にポータブルＦＰＤ８０を載置した状態（通電状態）で、進退機構により挿入口３５から収納部３２内に一体的に収納され、前扉３４が閉じられる。トラッキングステーション９０とポータブルＦＰＤ８０とは移動機構により、収納部３２内を一体的に移動して撮影部位に位置する。そしてポータブルＦＰＤ８０をトラッキングステーション９０の上面に載置したままＸ線撮影が行われ、ポータブルＦＰＤ８０にＸ線画像情報が蓄積される。Ｘ線撮影が終了すると、トラッキングステーション９０はポータブルＦＰＤ８０に対し、Ｘ線画像情報の読み取りと消去とを行う。そして、ポータブルＦＰＤ８０の充電をしながら次のＸ線撮影まで待機する。再び前扉３４が開かれると、移動機構がポータブルＦＰＤ８０及びトラッキングステーション９０を挿入口３５まで移動させ、進退機構がポータブルＦＰＤ８０を載置したトラッキングステーション９０を挿入口３５から収納部３２外へ排出し、ポータブルＦＰＤ８０の取り出しが可能になる。
【００４１】
本実施形態によれば、撮影中にポータブルＦＰＤ８０の電池残量が少なくなっても、撮影をしながら充電も行える。また、第一実施形態で必要だった検出器送り部１００が不要となり、製造・保守に係る手間を軽減することができる。
【００４２】
上記実施形態では、Ｘ線検出器としてポータブルＦＰＤを、画像読取部としてトラッキングステーションを用いたが、Ｘ線撮影装置と別体に構成された移動型のＸ線検出器とこのＸ線検出器に記録されたＸ線画像情報を読み取る装置であれば、Ｘ線検出器と画像読取部とは上記の例に限らない。例えば、Ｘ線検出器として、基板上に輝尽性蛍光体を塗布されたイメージングプレートを用い、画像読取部として、イメージングプレートに潜像として蓄積された被検体のＸ線吸収分布を示すＸ線画像情報を読取り、読み取り後のＸ線画像情報を消去する画像読取装置（ＣＲ装置）を用いてもよい。
【産業上の利用可能性】
【００４３】
医療用に限らず、平面検出器をＸ線撮影台内に着脱自在に収納した状態でのＸ線撮影が不可欠な用途にも適用することができる。
【符号の説明】
【００４４】
１：被検体、２：撮影室、３：壁、４：扉、５：操作室、１０：Ｘ線診断装置、２０：Ｘ線照射部、２１：Ｘ線絞り部、２２：操作器、３０：臥位撮影台、３１：天板、３１ｂ：内板、３２：収納部、３３：収納空間、３４：前扉、３５：挿入口、３６：臥位撮影台、４０：立位撮影台、４１：取付部、４１ａ：収納空間、４１ｂ：保持部、４２：支柱、４３：Ｘ線検出部、４４：顎のせ部、４５Ｒ：ハンドル、４５Ｌ：ハンドル、５０：画像処理装置、６０：表示部、７１：検出器トレイ、７２：レール、７３：駆動装置、７４：搬送機構、８０：ポータブルＦＰＤ、８１：把持用開口部、８２：把持部、９０：トラッキングステーション、１００：検出器送り部、１０１：送りネジ、１０２：ナット、１０３：モータ、１０４：タイミングベルト、１０５：保持部、１０５ａ：突起部、１０５ｂ：突起部
【図１】
2010172574.tif 000003
【図２】
2010172574.tif 000004
【図３】
2010172574.tif 000005
【図４】
2010172574.tif 000006
【図５】
2010172574.tif 000007
【図６】
2010172574.tif 000008
【図８】
2010172574.tif 000009
【図９】
2010172574.tif 000010
【図１０】
2010172574.tif 000011
【図１１】
2010172574.tif 000012
【図１２】
2010172574.tif 000013
【図７】
2010172574.tif 000014